(57)【要約】【課題】紹介先の医師が患者の受診以前に紹介状情報にアクセスしたり、その他患者の個人情報にアクセスすることを防止するとともに、正当な患者が受診した場合に紹介先の医師が即座に当該紹介状情報を閲覧出来るようにすること。【解決手段】情報処理装置１は、紹介元の医師端末２から、紹介状情報を受信し、当該紹介状情報を医師の識別情報及び患者の識別情報に関連付けて紹介状情報データベース９１に記憶させ、紹介状情報にアクセスする権限情報を生成し、当該紹介状情報に更に関連付けるとともに当該権限情報を紹介元の医師端末２に送信する。更に、情報処理装置１は、当該紹介状情報の送信を要求する紹介先の医師端末２から、医師の識別情報及び患者の識別情報とともに当該権限情報を受信したことに応じて、紹介状情報を抽出し、抽出された紹介状情報を、紹介先の医師端末２に送信する。【選択図】図４
2014063435.tif 000002
【特許請求の範囲】
【請求項１】
第１の端末から送信された、医師及び患者が指定された紹介状情報を受信する紹介状情報受信手段と、
前記紹介状情報受信手段により前記紹介状情報が受信されたことに応じて、当該紹介状情報を、指定された当該医師の識別情報及び当該患者の識別情報に関連付けて、所定の記憶媒体に記憶させる紹介状情報記憶制御手段と、
前記記憶媒体に記憶された前記紹介状情報にアクセスする権限を有していることを示す情報を、権限情報として生成する権限情報生成手段と、
前記権限情報生成手段により生成された前記権限情報を、前記紹介状情報に更に関連付けて前記記憶媒体に記憶させるとともに前記第１の端末に送信する権限情報付与手段と、
第２の端末から当該紹介状情報の送信要求として送信された、前記医師の識別情報及び前記患者の識別情報とともに前記権限情報を受信したことに応じて、当該医師の識別情報、当該患者の識別情報、及び当該権限情報に関連付けて記憶された紹介状情報を前記記憶媒体から抽出する紹介状情報抽出手段と、
前記紹介状情報抽出手段により抽出された前記紹介状情報を、前記第２の端末に送信する紹介状情報送信手段と、
を備える情報処理装置。
【請求項２】
前記紹介状情報受信手段に受信された前記紹介状情報において、複数の医師が指定されている場合、
前記紹介状情報記憶制御手段は、当該紹介状情報を、指定された当該複数の医師の識別情報及び当該患者の識別情報に関連付けて、前記記憶媒体に記憶させ、
前記紹介状情報抽出手段は、前記第２の端末から送信された、前記複数の医師のうちの所定の医師の識別情報及び前記患者の識別情報とともに前記権限情報を受信したことに応じて、当該所定の医師の識別情報、当該患者の識別情報、及び当該権限情報に関連付けて記憶された紹介状情報を前記記憶媒体から抽出し、
前記紹介状情報に対する前記複数の医師の識別情報の夫々の関連付けのうち、前記所定の医師を除いた医師の関連付けを無効化することで、前記所定の医師を除いた医師の識別情報及び前記患者の識別情報とともに前記権限情報が受信されても、前記紹介状情報抽出手段による前記紹介状情報の抽出を禁止する紹介状無効化手段を、更に備える請求項１に記載の情報処理装置。
【請求項３】
前記紹介状情報受信手段は、前記第１の端末から、前記紹介状情報に加えて、患者に関する詳細情報を更に受信し、
前記紹介状情報記憶制御手段は、受信された前記詳細情報を、指定された当該医師の識別情報及び当該患者の識別情報に更に関連付けて記憶し、
前記紹介状情報抽出手段は、前記医師の識別情報、前記患者の識別情報、及び前記権限情報、に関連付けて記憶された前記詳細情報を前記紹介状情報と併せて抽出する、請求項１又は２に記載の情報処理装置。
【請求項４】
情報処理装置が実行する情報処理方法であって、
第１の端末から送信された、医師及び患者が指定された紹介状情報を受信する紹介状情報受信ステップと、
前記紹介状情報受信ステップにて前記紹介状情報が受信されたことに応じて、当該紹介状情報を、指定された当該医師の識別情報及び当該患者の識別情報に関連付けて、所定の記憶媒体に記憶させる紹介状情報記憶制御ステップと、
前記記憶媒体に記憶された前記紹介状情報にアクセスする権限を有していることを示す情報を、権限情報として生成する権限情報生成ステップと、
前記権限情報生成ステップにて生成された前記権限情報を、前記紹介状情報に更に関連付けて前記記憶媒体に記憶させるとともに前記第１の端末に送信する権限情報付与ステップと、
第２の端末から当該紹介状情報の送信要求として送信された、前記医師の識別情報及び前記患者の識別情報とともに前記権限情報を受信したことに応じて、当該医師の識別情報、当該患者の識別情報、及び当該権限情報に関連付けて記憶された紹介状情報を前記記憶媒体から抽出する紹介状情報抽出ステップと、
前記紹介状情報抽出ステップにて抽出された前記紹介状情報を、前記第２の端末に送信する紹介状情報送信ステップと、
を含む情報処理方法。
【請求項５】
情報処理装置として用いられるコンピュータに、
第１の端末から送信された、医師及び患者が指定された紹介状情報を受信する紹介状情報受信ステップと、
前記紹介状情報受信ステップにて前記紹介状情報が受信されたことに応じて、当該紹介状情報を、指定された当該医師の識別情報及び当該患者の識別情報に関連付けて、所定の記憶媒体に記憶させる紹介状情報記憶制御ステップと、
前記記憶媒体に記憶された前記紹介状情報にアクセスする権限を有していることを示す情報を、権限情報として生成する権限情報生成ステップと、
前記権限情報生成ステップにて生成された前記権限情報を、前記紹介状情報に更に関連付けて前記記憶媒体に記憶させるとともに前記第１の端末に送信する権限情報付与ステップと、
第２の端末から当該紹介状情報の送信要求として送信された、前記医師の識別情報及び前記患者の識別情報とともに前記権限情報を受信したことに応じて、当該医師の識別情報、当該患者の識別情報、及び当該権限情報に関連付けて記憶された紹介状情報を前記記憶媒体から抽出する紹介状情報抽出ステップと、
前記紹介状情報抽出ステップにて抽出された前記紹介状情報を、前記第２の端末に送信する紹介状情報送信ステップと、
を実行させるプログラム。
【発明の詳細な説明】
【技術分野】
【０００１】
本発明は、情報処理装置、情報処理方法及びプログラムに関する。
【背景技術】
【０００２】
従来から、小病院や診療所等の小規模の医療機関においては、受け付けた患者の診療や検査がその医療機関の規模により困難な場合がある。その場合、当該小規模の医療機関は、その患者を他の大規模な医療機関に紹介し、当該大規模な医療機関に診療を依頼するということがなされている。
【０００３】
従来このような患者の紹介は、紹介する側の小規模の医療機関等の医師（以下、「紹介元の医師」という）から、紹介されて診療等を依頼される側の大規模な医療機関等の医師（以下、「紹介先の医師」という）へ電話等によって口頭で紹介されたり、書面による紹介状を作成したりすることによりなされていた。
【０００４】
近年、紹介元の医師の端末において紹介状を電子的に作成し、作成された紹介状のデータを紹介先の医師の端末にオンラインで転送する紹介状システムが提案されている。例えば、特許文献１に記載の紹介状システムは、紹介元の医師から患者の診療予約をする時点では、診療予約に必要な情報のみを紹介先の医師の端末に送信し、紹介先の医療機関で予約日に患者が診療の受付をし、紹介された患者と、当該予約日に受け付けた患者と、が同一であると認証された後に、患者の診察結果にかかる情報を送信する。
【先行技術文献】
【特許文献】
【０００５】
【特許文献１】特開２００９−３７４８１号公報
【発明の概要】
【発明が解決しようとする課題】
【０００６】
しかしながら、特許文献１に記載の紹介状システムでは、紹介元医療機関の端末から紹介先医療機関の端末に、前もって何らかの情報が送信されていた。この場合、紹介先医療機関が、送信されてきた情報を用いて、患者が紹介先医療機関に来訪する前に、当該患者の個人情報を取得するおそれもある。
【０００７】
また、特許文献１に記載の紹介状システムでは、上述したように、診察の予約時の情報の授受と、診察時の情報の授受といった２段階の工程が必要である。このため、正当な患者であっても予約をしないで受診しにきた場合等では、紹介先の医師が当該紹介状情報を即座に閲覧出来ないおそれもある。
【０００８】
本発明は、このような状況に鑑みてなされたものであり、紹介先の医師が患者の受診以前に紹介状情報にアクセスしたり、その他患者の個人情報にアクセスすることを防止するとともに、正当な患者が受診した場合に紹介先の医師が即座に当該紹介状情報を閲覧出来るようにすることを目的とする。
【課題を解決するための手段】
【０００９】
上記目的を達成するため、本発明の一態様の情報処理装置は、
第１の端末から送信された、医師及び患者が指定された紹介状情報を受信する紹介状情報受信手段と、
前記紹介状情報受信手段により前記紹介状情報が受信されたことに応じて、当該紹介状情報を、指定された当該医師の識別情報及び当該患者の識別情報に関連付けて、所定の記憶媒体に記憶させる紹介状情報記憶制御手段と、
前記記憶媒体に記憶された前記紹介状情報にアクセスする権限を有していることを示す情報を、権限情報として生成する権限情報生成手段と、
前記権限情報生成手段により生成された前記権限情報を、前記紹介状情報に更に関連付けて前記記憶媒体に記憶させるとともに前記第１の端末に送信する権限情報付与手段と、
第２の端末から当該紹介状情報の送信要求として送信された、前記医師の識別情報及び前記患者の識別情報とともに前記権限情報を受信したことに応じて、当該医師の識別情報、当該患者の識別情報、及び当該権限情報に関連付けて記憶された紹介状情報を前記記憶媒体から抽出する紹介状情報抽出手段と、
前記紹介状情報抽出手段により抽出された前記紹介状情報を、前記第２の端末に送信する紹介状情報送信手段と、
を備える。
【発明の効果】
【００１０】
本発明によれば、紹介先の医師が患者の受診以前に紹介状情報にアクセスしたり、その他患者の個人情報にアクセスすることを防止するとともに、正当な患者が受診した場合に紹介先の医師が即座に当該紹介状情報を閲覧出来る。
【図面の簡単な説明】
【００１１】
【図１】本発明の実施形態に係る情報処理システムの全体構成を示すブロック図である。
【図２】本発明の実施形態に係る情報処理装置のハードウェアの構成を示すブロック図である。
【図３】本発明の実施形態に係る医師端末のハードウェアの構成を示すブロック図である。
【図４】情報処理装置及び医師端末の機能的構成のうち、権限情報付与処理及び紹介状情報送信処理を実行するための機能的構成を示す機能ブロック図である。
【図５】紹介状情報データベースに記憶される紹介状データレコードの例を示す図である。
【図６】図４の機能的構成を有する図１の情報処理装置、及び図２の紹介元の医師端末が実行する権限情報付与処理の流れを説明するフローチャートである。
【図７】図４の機能的構成を有する図１の情報処理装置、及び図２の紹介先の医師端末が実行する紹介状情報送信処理の流れを説明するフローチャートである。
【発明を実施するための形態】
【００１２】
以下、本発明の実施形態について、図面を用いて説明する。
［全体構成］
【００１３】
図１は、本発明の実施形態に係る情報処理システムＳの全体構成を示すブロック図である。
【００１４】
図１に示すように、本実施形態に係る情報処理システムＳは、情報処理装置１と、ｎ人（ｎは１以上の任意の整数値）の医師夫々に使用される複数の医師端末２−１〜２−ｎと、を有している。情報処理装置１と、医師端末２−１〜２−ｎの夫々とは、ネットワーク３を介して相互に接続されている。
なお、医師端末２−１〜２−ｎの夫々を、個々に区別する必要がない場合、これらをまとめて、「医師端末２」という。
本実施形態において、複数の医師端末２の夫々は、情報処理装置１に対して情報（例えば、後述する紹介状情報等）を送信する送信側端末としての役割と、情報処理装置１から情報を受信する受信側端末としての役割と、の両方の役割を果たす。
【００１５】
図２は、本発明の実施形態に係る情報処理装置１のハードウェアの構成を示すブロック図である。
【００１６】
情報処理装置１は、ＣＰＵ（Ｃｅｎｔｒａｌ  Ｐｒｏｃｅｓｓｉｎｇ  Ｕｎｉｔ）１１と、ＲＯＭ（Ｒｅａｄ  Ｏｎｌｙ  Ｍｅｍｏｒｙ）１２と、ＲＡＭ（Ｒａｎｄｏｍ  Ａｃｃｅｓｓ  Ｍｅｍｏｒｙ）１３と、バス１４と、入出力インターフェース１５と、入力部１６と、出力部１７と、記憶部１８と、通信部１９と、ドライブ２０と、を備えている。
【００１７】
ＣＰＵ１１は、ＲＯＭ１２に記録されているプログラム、又は、記憶部１８からＲＡＭ１３にロードされたプログラムに従って各種の処理を実行する。
【００１８】
ＲＡＭ１３には、ＣＰＵ１１が各種の処理を実行する上において必要なデータ等も適宜記憶される。
【００１９】
ＣＰＵ１１、ＲＯＭ１２及びＲＡＭ１３は、バス１４を介して相互に接続されている。このバス１４にはまた、入出力インターフェース１５も接続されている。入出力インターフェース１５には、入力部１６、出力部１７、記憶部１８、通信部１９及びドライブ２０が接続されている。
【００２０】
入力部１６は、各種釦等で構成され、ユーザの指示操作に応じて各種情報を入力する。
出力部１７は、ディスプレイやスピーカ等で構成され、画像や音声を出力する。
記憶部１８は、ハードディスクあるいはＤＲＡＭ（Ｄｙｎａｍｉｃ  Ｒａｎｄｏｍ  Ａｃｃｅｓｓ  Ｍｅｍｏｒｙ）等で構成され、後述する紹介状情報等の各種データを記憶する。
通信部１９は、インターネットを含むネットワーク３を介して医師端末２との間で行う通信を制御する。
【００２１】
ドライブ２０には、磁気ディスク、光ディスク、光磁気ディスク、あるいは半導体メモリ等よりなる、リムーバブルメディア３１が適宜装着される。ドライブ２０によってリムーバブルメディア３１から読み出されたプログラムは、必要に応じて記憶部１８にインストールされる。また、リムーバブルメディア３１は、記憶部１８に記憶されている紹介状情報等の各種データも、記憶部１８と同様に記憶することができる。
【００２２】
図３は、本発明の実施形態に係る医師端末２のハードウェアの構成を示すブロック図である。
【００２３】
医師端末２は、ＣＰＵ４１〜ドライブ５０を備えている。ＣＰＵ４１〜ドライブ５０の夫々は、図２のＣＰＵ１１〜ドライブ２０と基本的に同様の構成と機能を有している。また、リムーバブルメディア６１は、図２のリムーバブルメディア３１と基本的に同様の構成と機能を有している。したがって、医師端末２のハードウェア構成の説明は省略する。
【００２４】
図４は、情報処理装置１及び医師端末２の機能的構成のうち、権限情報付与処理及び紹介状情報送信処理を実行するための機能的構成を示す機能ブロック図である。
権限情報付与処理とは、情報処理装置１が、紹介元の医師端末２から紹介状情報を受信して紹介状情報データベースに記憶する際に、権限情報を生成して、当該権限情報を紹介状情報に関連付けて記憶するとともに、当該権限情報を紹介元の医師端末２へ送信する処理をいう。
ここで、権限情報は、紹介状情報にアクセスする権原を有していることを示す情報であれば足り、その形態は特に限定されず、例えば紹介情報が暗号化されるならばそれを復号するための鍵を採用することができるが、本実施形態ではいわゆるパスワードが採用されているものとする。
紹介状情報送信処理とは、情報処理装置１が紹介先の医師端末２から権限情報等を受信して、受信した権限情報等と一致する紹介状情報を紹介状情報データベースから抽出して、紹介先の医師端末２へ送信する処理をいう。
本実施形態では、紹介状情報とは、紹介元の医師が患者を紹介先の医師に紹介するための紹介状の電子データのことをいう。例えば、紹介状の内容は、紹介先の医師が患者の紹介を受け入れることができる内容であれば足りるが、例えば患者の病気の内容等である。紹介状情報が紹介状情報データベースに登録されると、当該紹介状情報に関連付けられた権限情報が紹介元の医師端末２を介して患者に通知される。患者は、紹介先の医師の診察を受けるに際し、先ず権限情報を紹介先の医師に開示する。紹介先の医師は、紹介先の医師端末２を操作して、権限情報を入力する。すると、権限情報は、紹介先の医師端末２から情報処理装置１に転送されるので、情報処理装置１は、当該権限情報を受信することにより、当該紹介状情報のアクセスを許可する。
【００２５】
権限情報付与処理が実行される場合、情報処理装置１が備えるＣＰＵ１１においては、紹介状情報受信部７１と、紹介状情報記憶制御部７２と、権限情報生成部７３と、権限情報付与部７４と、が機能する。また、紹介元の医師端末２が備えるＣＰＵ４１においては、紹介状情報送信部８１と、権限情報受信部８２と、が機能する。
紹介状情報送信処理が実行される場合、情報処理装置１が備えるＣＰＵ１１においては、紹介状情報要求受信部７５と、紹介状情報抽出部７６と、紹介状情報送信部７７と、紹介状情報無効化部７８と、が機能する。また、紹介先の医師端末２が備えるＣＰＵ４１においては、紹介状情報要求送信部８３と、紹介状情報受信部８４と、が機能する。
更に、権限情報付与処理及び紹介状情報送信処理が実行される場合、記憶部１８の一領域として設けられた紹介状情報データベース９１が用いられる。紹介状情報データベース９１には、図５にて後述する紹介状データレコードが格納される。
【００２６】
権限情報付与処理が開始されると、紹介元の医師端末２の紹介状情報送信部８１は、紹介元の医師端末２の入力部４６が受け付けた情報、例えば、紹介状情報、カルテ情報、患者の識別情報、及び紹介先の医師の識別情報を情報処理装置１に送信する。ここで、カルテ情報とは、患者に関する詳細情報であり、患者の過去の診察履歴等の情報である。なお、患者に関する詳細情報は、カルテ情報に限られず、患者の病歴、性格、趣味、嗜好等であってもよい。また、患者の識別情報とは、患者を一意に識別するための情報である。本実施形態において、患者の識別情報は、例えば、患者の氏名及び保険証番号の組み合わせにより構成される。また、医師の識別情報とは、医師を一意に識別するための情報である。本実施形態において、医師の識別情報は、例えば、アルファベット等の文字の組み合わせにより構成される。
紹介元の医師端末２の入力部４６は、紹介状情報、カルテ情報、及び患者の識別情報とともに、紹介先の医師の識別情報を複数受け付けてもよい。例えば、一人の患者に対して住所等で特定された複数の医師が紹介される場合、当該複数の医師の識別情報を受け付ける。このとき、当該入力部４６が受け付けた紹介状情報、カルテ情報、及び患者の識別情報の一の組み合わせに対して、当該複数の医師の識別情報が関連付けられる。
【００２７】
紹介状情報受信部７１は、紹介状情報、カルテ情報、患者の識別情報、及び紹介先の医師の識別情報を紹介元の医師端末２から通信部４９を介して受信する。
紹介状情報記憶制御部７２は、紹介状情報及びカルテ情報に、患者の識別情報及び紹介先の医師の識別情報を関連付けて紹介状情報データベース９１にデータレコードとして記憶する。
【００２８】
ここで、紹介状情報データベース９１に記憶されるデータレコードについて図５を参照して説明する。図５は、紹介状情報データベース９１に記憶される紹介状データレコードの例を示す図である。
図５によれば、紹介状情報データベース９１の１行には、所定の１つの紹介状情報についての、紹介状データレコードが格納されている。即ち、紹介状データレコードの所定の行には、当該行に対応付られた紹介状情報についての紹介状データレコードとして、紹介状ＩＤ、紹介先医師ＩＤ、権限情報、患者識別情報、紹介状情報、及びカルテ情報が格納されている。
紹介状ＩＤとは、紹介状レコードを一意に識別する識別子である。紹介先医師ＩＤとは、紹介先の医師を一意に識別する識別子である。権限情報とは、紹介状データレコードがアクセス可能となるための情報であり、本実施形態では上述したようにパスワードである。患者識別情報とは、上述したように、患者の識別情報である。また、紹介状情報及びカルテ情報は、上述したとおりである。
例えば、紹介元の医師端末２の入力部４６が受け付けた紹介先の医師の識別情報が１つである場合の例として、紹介状ＩＤが「００１」〜「００３」の場合が挙げられる。これらの例では、権限情報、患者識別情報、紹介状情報、及びカルテ情報の一の組み合わせに対して、一の紹介先の医師の識別情報が対応付けられている。
一方、当該入力部４６が受け付けた紹介先の医師の識別情報が複数である場合の例として、紹介状ＩＤが「０２５」〜「０２７」の場合が挙げられる。これらの例では、権限情報、患者識別情報、紹介状情報、及びカルテ情報の一の組み合わせに対して、複数の紹介先の医師の識別情報が対応付けられている。
【００２９】
権限情報生成部７３は、乱数を発生させ、その乱数に基づいてパスワードを権限情報として生成する。
権限情報付与部７４は、権限情報生成部７３により生成された権限情報を、紹介状情報記憶制御部７２の制御により記憶された紹介状情報に関連付けて紹介状情報データベース９１に記憶する。更に、権限情報付与部７４は、当該権限情報を、紹介元の医師端末２の権限情報受信部８２へ送信する。
【００３０】
権限情報受信部８２は、当該権限情報を権限情報付与部７４から受信すると、紹介元の医師端末２の出力部４７に出力する。当該権限情報が出力されると、権限情報付与処理が終了される。
【００３１】
患者は、紹介元の医師端末２の出力部４７から出力された権限情報を保持し、紹介先の医師の診察を受けるに際し当該医師に開示する。紹介先の医師は、紹介先の医師端末２の入力部４６を操作して、当該権限情報を紹介先の医師端末２に入力する。この前後の適当なタイミングにおいて、患者の識別情報、及び紹介先の医師の識別情報等も紹介先の医師端末２に入力される。
【００３２】
これにより、紹介状情報送信処理が開始される。すると、紹介先の医師端末２の紹介状情報要求送信部８３は、紹介先の医師端末２の入力部４６が受け付けた情報、即ち、権限情報、患者の識別情報、及び紹介先の医師の識別情報を情報処理装置１に送信する。
【００３３】
情報処理装置１において、紹介状情報要求受信部７５は、権限情報、患者の識別情報、及び紹介先の医師の識別情報を通信部４９を介して受信する。
紹介状情報抽出部７６は、紹介状情報要求受信部７５に受信された、権限情報、患者の識別情報、及び紹介先の医師の識別情報をキーとして紹介状情報データベース９１にアクセスして、当該キーと一致する紹介先データレコードから紹介状情報及びカルテ情報を抽出する。
紹介状情報送信部７７は、紹介状情報抽出部７６により抽出された、紹介状情報及びカルテ情報を紹介先の医師端末２の紹介状情報受信部８４に送信する。
【００３４】
紹介状情報受信部８４は、当該紹介状情報及びカルテ情報を、通信部４９を介して受信するとともに、出力部４７に出力する。
このようにして、紹介元の医師が権限情報を患者に教示して、当該患者が、当該患者自身の装置識別情報とともに当該権限情報を紹介先の医師に開示することにより、当該紹介先の医師は当該紹介状情報を始めて閲覧することが出来る。
この場合、特許文献１の技術では前もって何らかの情報が送信されていたが、本実施形態では、紹介元の医師端末２から紹介先の医師端末２に前もって何らかの情報が送信されることはない。
したがって、紹介先の医師が患者の受診以前に紹介状情報にアクセスしたり、その他患者の個人情報にアクセスすることを防止することが出来るとともに、正当な患者が受診した場合に紹介先の医師は即座に当該紹介状情報を閲覧することが出来る。
【００３５】
紹介状情報無効化部７８は、紹介状情報送信部７７により紹介状情報及びカルテ情報が送信されたことに応じて、紹介状情報データベース９１にアクセスして以下の処理を実行する。即ち、紹介状情報無効化部７８は、権限情報、患者識別情報、紹介状情報、及びカルテ情報の一の組み合わせに対応する複数の医師の識別情報うち、紹介状情報抽出部７６により抽出されなかった医師の識別情報を含む紹介先データレコードを特定する。さらに、紹介状情報無効化部７８は、当該特定された紹介先データレコードにおける、医師の識別情報と、紹介状情報及びカルテ情報と、の関連付けを無効化する。つまり、紹介状情報要求受信部７５に受信された、権限情報、患者の識別情報、及び紹介先の医師の識別情報と一致する紹介先データレコードが存在したとしても、当該紹介先の医師の識別情報が、紹介状情報抽出部７６により抽出されなかった医師の識別情報である場合には、紹介状情報無効化部７８は、当該紹介先データレコードに格納された、紹介状情報及びカルテ情報の、紹介状情報抽出部７６による抽出を禁止する。
例えば、図５に示した、紹介状ＩＤが「０２５」〜「０２７」の紹介状データレコードのうち、紹介先医師ＩＤ「ＭＯＨ」に関連付けられた、紹介状情報及びカルテ情報が紹介状情報抽出部７６により抽出された場合、紹介状情報無効化部７８は、抽出されなかった紹介先医師ＩＤ「ＳＰＫ」及び「ＡＸＶ」を有する紹介状データレコードにおける、紹介先医師ＩＤ「ＳＰＫ」及び「ＡＸＶ」と、紹介状情報及びカルテ情報と、の関連付けを無効化する。つまり、紹介状情報要求受信部７５に、権限情報、及び患者の識別情報に加えて、紹介先医師ＩＤ「ＳＰＫ」又は「ＡＸＶ」が受信されても、紹介状情報無効化部７８は、紹介先医師ＩＤ「ＳＰＫ」及び「ＡＸＶ」を含む紹介先データレコードに格納された、紹介状情報及びカルテ情報の、紹介状情報抽出部７６による抽出を禁止する。
これにより、住所等で特定された複数の医師宛ての紹介状情報及びカルテ情報に対して、患者から受け取った権限情報を用いて紹介状情報を取得した医師のみが当該紹介状情報及びカルテ情報を閲覧できる。
当該無効化する処理が実行されると、紹介状情報送信処理が終了される。
【００３６】
次に、図６を参照して、このような図４の機能的構成の情報処理装置１及び紹介元の医師端末２が実行する権限情報付与処理について説明する。
図６は、図４の機能的構成を有する図１の情報処理装置１、及び図２の紹介元の医師端末２が実行する権限情報付与処理の流れを説明するフローチャートである。なお、当該権限情報付与処理は、図７を参照して後述する紹介状情報送信処理とは独立して実行される。また、図６において、一のフローチャートから他のフローチャートに引かれた矢印は、所定の情報の流れを示している。
【００３７】
紹介元の医師端末２における権限情報付与処理は、ユーザによる紹介元の医師端末２の入力部４６への指示操作のうち権限情報付与処理の開始を指示する所定の操作を契機に開始される。
同様に、情報処理装置１における権限情報付与処理は、ユーザによる情報処理装置１の入力部１６への指示操作のうち権限情報付与処理の開始を指示する所定の操作を契機に開始される。
【００３８】
ステップＳ１において、紹介元の医師端末２の紹介状情報送信部８１は、入力部４６が受け付けた情報、即ち、紹介状情報、カルテ情報、患者の識別情報、及び紹介先の医師の識別情報を情報処理装置１に送信する。
【００３９】
ステップＳ２において、情報処理装置１の紹介状情報受信部７１は、紹介状情報、カルテ情報、患者の識別情報、及び紹介先の医師の識別情報を受信する。
ステップＳ３において、情報処理装置１の紹介状情報記憶制御部７２は、紹介状情報及びカルテ情報に、患者の識別情報及び紹介先の医師の識別情報を関連付けて紹介状情報データベース９１にデータレコードとして記憶する。
【００４０】
ステップＳ４において、情報処理装置１の権限情報生成部７３は、乱数に基づいてパスワードを権限情報として生成する。
ステップＳ５において、情報処理装置１の権限情報付与部７４は、ステップＳ４にて生成された権限情報を、ステップＳ３の処理で記憶された紹介状情報に関連付けて紹介状情報データベース９１に記憶する。
ステップＳ６において、情報処理装置１の権限情報付与部７４は、当該権限情報を、紹介元の医師端末２に送信する。当該権限情報が送信されると、情報処理装置１における権限情報付与処理が終了される。
【００４１】
ステップＳ７において、紹介元の権限情報受信部８２は、当該権限情報を受信するとともに、出力部４７に出力する。当該権限情報が出力されると、紹介元の医師端末２における権限情報付与処理が終了される。
【００４２】
次に、図７を参照して、図４の機能的構成の情報処理装置１及び紹介先の医師端末２が実行する紹介状情報送信処理について説明する。
図７は、図４の機能的構成を有する図１の情報処理装置１、及び図２の紹介先の医師端末２が実行する紹介状情報送信処理の流れを説明するフローチャートである。なお、当該紹介状情報送信処理は、上述した権限情報付与処理とは独立して実行される。また、図７において、一のフローチャートから他のフローチャートに引かれた矢印は、所定の情報の流れを示している。
【００４３】
紹介先の医師端末２における紹介状情報送信処理は、ユーザによる紹介先の医師端末２の入力部４６への指示操作のうち紹介状情報送信処理の開始を指示する所定の操作を契機に開始される。
同様に、情報処理装置１における紹介状情報送信処理は、ユーザによる情報処理装置１の入力部１６への指示操作のうち紹介状情報送信処理の開始を指示する所定の操作を契機に開始される。
【００４４】
ステップＳ１１において、紹介先の医師端末２の紹介状情報要求送信部８３は、入力部４６が受け付けた情報、即ち、権限情報、患者の識別情報、及び紹介先の医師の識別情報を情報処理装置１に送信する。
【００４５】
ステップＳ１２において、情報処理装置１の紹介状情報要求受信部７５は、権限情報、患者の識別情報、及び紹介先の医師の識別情報を受信する。
ステップＳ１３において、情報処理装置１の紹介状情報抽出部７６は、紹介状情報要求受信部７５に受信された、権限情報、患者の識別情報、及び紹介先の医師の識別情報をキーとして紹介状情報データベース９１にアクセスして、当該キーと一致する紹介先データレコードから紹介状情報及びカルテ情報を抽出する。
ステップＳ１４において、情報処理装置１の紹介状情報送信部７７は、紹介状情報抽出部７６により抽出された、紹介状情報及びカルテ情報を紹介先の医師端末２の紹介状情報受信部８５に送信する。
【００４６】
ステップＳ１５において、情報処理装置１の紹介状情報受信部８４は、当該紹介状情報及びカルテ情報を受信するとともに、出力部４７に出力する。当該紹介状情報及びカルテ情報が出力されると、紹介先の医師端末２における紹介状情報送信処理が終了される。
【００４７】
ステップＳ１６において、情報処理装置１の紹介状情報無効化部７８は、ステップＳ１４にて紹介状情報及びカルテ情報が紹介先の医師端末２に送信されたことに応じて、紹介状情報データベース９１にアクセスして以下の処理を実行する。即ち、紹介状情報無効化部７８は、権限情報、患者識別情報、紹介状情報、及びカルテ情報の一の組み合わせに対応する複数の医師の識別情報うち、紹介状情報抽出部７６により抽出されなかった医師の識別情報を含む紹介先データレコードを特定する。さらに、紹介状情報無効化部７８は、当該特定された紹介先データレコードにおける、医師の識別情報と、紹介状情報及びカルテ情報と、の関連付けを無効化する。これにより、情報処理装置１における紹介状情報送信処理が終了される。
【００４８】
以上のように、本実施形態によれば、情報処理装置１は、紹介元の医師端末２から送信された、医師及び患者が指定された紹介状情報を受信し、当該紹介状情報が受信されたことに応じて、当該紹介状情報を当該指定された医師の識別情報及び当該指定された患者の識別情報に関連付けて紹介状情報データベース９１に記憶させる。更に、情報処理装置１は、記憶された紹介状情報にアクセスする権限を有していることを示す情報を、権限情報として生成し、当該権限情報を紹介状情報に更に関連付けて紹介状情報データベース９１に記憶させるとともに当該権限情報を紹介元の医師端末２に送信する。更に、情報処理装置１は、当該紹介状情報の送信を要求する紹介先の医師端末２から、医師の識別情報及び患者の識別情報とともに当該権限情報を受信したことに応じて、当該医師の識別情報、当該患者の識別情報、及び当該権限情報に関連付けて記憶された紹介状情報を紹介状情報データベース９１から抽出し、抽出された紹介状情報を、紹介先の医師端末２に送信する。
これにより、紹介元の医師が当該紹介状情報にアクセスするための権限情報を患者に教示するだけで、当該患者が紹介先の医師に当該患者の識別情報とともに当該権限情報を開示することにより当該照会先の医師は当該紹介状情報を閲覧することが出来る。
したがって、照会先医師が患者の受診以前に紹介状情報にアクセスすることを防止することが出来るとともに、正当な患者が受診した場合に即座に当該紹介状情報を閲覧することが出来る。
更に、紹介元の医師端末２から紹介先の医師端末２に、前もって何らかの情報が送信されることなく、患者が紹介先の医師の診察を受けられる。
【００４９】
また、情報処理装置１は、紹介状情報において、複数の医師が指定されている場合、当該紹介状情報を、指定された当該複数の医師の識別情報及び当該患者の識別情報に関連付けて、紹介状情報データベース９１に記憶させ、紹介先の医師端末２から送信された、当該複数の医師のうちの所定の医師の識別情報及び当該患者の識別情報とともに当該権限情報を受信したことに応じて、当該所定の医師の識別情報、当該患者の識別情報、及び当該権限情報に関連付けて記憶された紹介状情報を紹介先の医師端末２から抽出し、当該紹介状情報に対する当該複数の医師の識別情報の夫々の関連付けのうち、当該所定の医師を除いた医師の関連付けを無効化することで、当該所定の医師を除いた医師の識別情報及び当該患者の識別情報とともに当該権限情報が受信されても、当該紹介状情報の抽出を禁止する。
これにより、住所等で特定された複数の医師宛ての紹介状情報に対して、患者から受け取った権限情報を用いて紹介状情報を取得した医師のみが当該紹介状情報を閲覧できる。
【００５０】
更に、情報処理装置１は、紹介元の医師端末２から、紹介状情報に加えて、患者に関する詳細情報を更に受信し、受信された当該詳細情報を指定された医師の識別情報及び指定された患者の識別情報に更に関連付けて記憶し、当該医師の識別情報、当該患者の識別情報、及び当該権限情報、に関連付けて記憶された当該詳細情報を紹介状情報と併せて抽出する。
したがって、情報処理装置１は、紹介状情報に加えて、患者の過去のカルテ情報等の詳細情報を紹介先の医師端末２に送信できる。
【００５１】
以上、本発明の実施形態について説明したが、本発明は前述した実施形態に限るものではない。また、本実施形態に記載された効果は、本発明から生じる最も好適な効果を列挙したに過ぎず、本発明による効果は、本実施形態に記載されたものに限定されるものではない。
【００５２】
本実施形態において、権限情報は、パスワードとしたがこれに限られない。例えば、上述したように、権限情報を復号鍵としてもよい。この場合、紹介状情報及びカルテ情報は暗号化されて紹介状データレコードに格納される。更に、紹介状情報抽出部７６は、紹介状情報要求受信部７５により受信された、患者の識別情報、及び紹介先の医師の識別情報をキーとして紹介状情報データベース９１にアクセスして、当該キーと一致する紹介先データレコードから、暗号化された、紹介状情報及びカルテ情報を当該復号鍵によって復号化してから抽出する。
【００５３】
本実施形態において、権限情報は、１つのパスワードとしたがこれに限られず、２つ以上としてもよい。例えば、パスワードが２つの場合、１つ目のパスワードによる認証が成功すると、患者識別情報のみが紹介先の医師端末２に送信されるようにし、２つ目のパスワードによる認証が成功すると、紹介状情報及びカルテ情報が紹介先の医師端末２に送信されるようにする。
【００５４】
上述した一連の処理は、ハードウェアにより実行させることもできるし、ソフトウェアにより実行させることもできる。
換言すると、図４の機能的構成は例示に過ぎず、特に限定されない。即ち、上述した一連の処理を全体として実行できる機能が情報処理装置１及び医師端末２に備えられていれば足り、この機能を実現するためにどのような機能ブロックを用いるのかは特に図４の例に限定されない。
また、１つの機能ブロックは、ハードウェア単体で構成してもよいし、ソフトウェア単体で構成してもよいし、それらの組み合わせで構成してもよい。
【００５５】
一連の処理をソフトウェアにより実行させる場合には、そのソフトウェアを構成するプログラムが、コンピュータ等にネットワークや記録媒体からインストールされる。
コンピュータは、専用のハードウェアに組み込まれているコンピュータであってもよい。また、コンピュータは、各種のプログラムをインストールすることで、各種の機能を実行することが可能なコンピュータ、例えば汎用のパーソナルコンピュータであってもよい。
【００５６】
このようなプログラムを含む記録媒体は、ユーザにプログラムを提供するために装置本体とは別に配布される図２のリムーバブルメディア３１及び図３のリムーバブルメディア６１により構成されるだけでなく、装置本体に予め組み込まれた状態でユーザに提供される記録媒体等で構成される。リムーバブルメディア３１，６１は、例えば、磁気ディスク（フロッピディスクを含む）、光ディスク、又は光磁気ディスク等により構成される。光ディスクは、例えば、ＣＤ−ＲＯＭ（Ｃｏｍｐａｃｔ  Ｄｉｓｋ−Ｒｅａｄ  Ｏｎｌｙ  Ｍｅｍｏｒｙ），ＤＶＤ（Ｄｉｇｉｔａｌ  Ｖｅｒｓａｔｉｌｅ  Ｄｉｓｋ）等により構成される。光磁気ディスクは、ＭＤ（Ｍｉｎｉ−Ｄｉｓｋ）等により構成される。また、装置本体に予め組み込まれた状態でユーザに提供される記録媒体は、例えば、プログラムが記録されている図２のＲＯＭ１２、図３のＲＯＭ４２、図２の記憶部１８、及び図３の記憶部４８に含まれるハードディスク等で構成される。
【００５７】
なお、本明細書において、記録媒体に記録されるプログラムを記述するステップは、その順序に沿って時系列的に行われる処理はもちろん、必ずしも時系列的に処理されなくとも、並列的或いは個別に実行される処理をも含むものである。
また、本明細書において、システムの用語は、複数の装置や複数の手段等より構成される全体的な装置を意味するものとする。
【００５８】
以上、本発明のいくつかの実施形態について説明したが、これらの実施形態は、例示に過ぎず、本発明の技術的範囲を限定するものではない。本発明はその他の様々な実施形態を取ることが可能であり、更に、本発明の要旨を逸脱しない範囲で、省略や置換等種々の変更を行うことができる。これら実施形態やその変形は、本明細書等に記載された発明の範囲や要旨に含まれるとともに、特許請求の範囲に記載された発明とその均等の範囲に含まれる。
【符号の説明】
【００５９】
１・・・情報処理装置、２・・・医師端末、３・・・ネットワーク、１１・・・ＣＰＵ、１２・・・ＲＯＭ、１３・・・ＲＡＭ、１４・・・バス、１５・・・入出力インターフェース、１６・・・入力部、１７・・・出力部、１８・・・記憶部、１９・・・通信部、２０・・・ドライブ、３１・・・リムーバブルメディア、４１・・・ＣＰＵ、４２・・・ＲＯＭ、４３・・・ＲＡＭ、４４・・・バス、４５・・・入出力インターフェース、４６・・・入力部、４７・・・出力部、４８・・・記憶部、４９・・・通信部、５０・・・ドライブ、６１・・・リムーバブルメディア、７１・・・紹介状情報受信部、７２・・・紹介状情報記憶制御部、７３・・・権限情報生成部、７４・・・権限情報付与部、７５・・・紹介状情報要求受信部、７６・・・紹介状情報抽出部、７７・・・紹介状情報送信部、７８・・・紹介状情報無効化部、８１・・・紹介状情報送信部、８２・・・権限情報受信部、８３・・・紹介状情報要求送信部、８４・・・紹介状情報受信部、９１・・・紹介状情報データベース 
【図１】
2014063435.tif 000003
【図２】
2014063435.tif 000004
【図３】
2014063435.tif 000005
【図４】
2014063435.tif 000006
【図５】
2014063435.tif 000007
【図６】
2014063435.tif 000008
【図７】
2014063435.tif 000009